(57)【要約】【課題】ロール紙などのチケット媒体が不要となった結果、機器の小型化を実現することができる。【解決手段】マークシートのくじ投票用紙の裏面に投票内容印刷を行い、チケットとして利用することにより、ロール紙などのチケット媒体が不要となった結果、マーク読取／くじチケット発券／当せん照会の各業務は１つの媒体の取り扱いで済むようにしたものである。【選択図】      図４
2005190219.tif 000002
【特許請求の範囲】
【請求項１】
一面が投票の申込み用のマークシート面で、他面が投票内容が印刷されるチケット面である券が挿入される挿入口からの券を搬送路に沿って搬送する第１の搬送手段と、
上記搬送路上に設けられ、上記挿入口から挿入されて搬送路により搬送される券の一方の面を光学的に読取る読取手段と、
この読取手段による読取り後、上記券の搬送方向を逆転し、上記挿入口の方向へ上記搬送路にそって搬送する第２の搬送手段と
上記搬送路上かつ上記読取手段側の反対側に設けられ、上記挿入口の方向へ上記搬送路により搬送される券の他方の面に印刷する印刷手段と、
発券業務時、上記読取手段により読取った読取内容により、券の読取面がマークシート面か否かを判断する第１の判断手段と、
この第１の判断手段によりマークシート面と判断された際に、マークの内容により投票内容を受取る受取手段と、
この受取手段により受取った投票内容を上記印刷手段により印刷して上記挿入口から発行される第１の処理手段と、
当選照会業務時、上記読取手段により読取った読取内容により、券の読取面がチケット面か否かを判断する第２の判断手段と、
この第２の判断手段によりチケット面と判断された際に、チケット面に印刷されている投票内容とあらかじめ登録されている当選情報とを照合し、この照合結果を、上記印刷手段により印刷して上記挿入口から発行する第２の処理手段と、
を具備したことを特徴とする発券照会システム。
【請求項２】
一面がマークシート面、他面がチケット面である券のマークシート面のマークに基づいて投票内容を判断する判断手段と、
この判断手段により判断した投票内容を上記券のチケット面に印刷して発行する第１の発行手段と、
上記券のチケット面に印刷されている投票内容を読取った際に、あらかじめ登録されている当選内容とを照合する照合手段と、
この照合手段による照合の結果、上記投票内容が当選している際に、この当選内容を上記券のマークシート面の余白に印刷して発行する第２の発行手段と、
を具備したことを特徴とする発券照会システム。
【請求項３】
一面が固有マーク情報を有するマークシート面、他面がバーコードによる印刷が行われるチケット面である券を用いて投票の受付けと当選内容の照会が行われる発券照会システムにおいて、
上記券が挿入された際に、上記固有マーク情報を読み取ることにより、投票の受付けを判断する第１の判断手段と、
この第１の判断手段により投票の受付けを判断した際に、上記券のマークシート面のマークに基づいて投票内容を判断する第２の判断手段と、
この第２の判断手段により判断した投票内容を上記券のチケット面に印刷して発行する第１の発行手段と、
上記券が挿入された際に、上記バーコードを読み取ることにより、当選内容の照会を判断する第３の判断手段と、
この第３の判断手段により当選内容の照会を判断した際に、上記券のチケット面に印刷されている投票内容を読取った際に、あらかじめ登録されている当選内容とを照合する照合手段と、
この照合手段による照合の結果、上記投票内容が当選している際に、この当選内容を上記券のマークシート面の余白に印刷して発行する第２の発行手段と、
を具備したことを特徴とする発券照会システム。
【請求項４】
一面がマークシート面、他面がチケット面である券による投票の受付と投票に対する当選の照会を行う端末とこの端末と通信回線を介して接続されるセンタサーバとにより構成される発券照会システムにおいて、
上記端末が、
上記券のマークシート面のマークに基づいて投票内容を判断する判断手段と、
この判断手段により判断した投票内容に投票番号を付加して上記券のチケット面に印刷して発行する第１の発行手段と、
上記投票内容と投票番号とを上記センタサーバに送信する第１の送信手段と、
あらかじめ上記センターサーバから供給される投票番号に基づく当選内容を記憶する記憶手段と、
上記券のチケット面に印刷されている投票内容と投票番号を読取った際に、上記記憶手段に記憶されている当選内容とを照合する照合手段と、
この照合手段による照合の結果、上記投票内容が当選している際に、この当選内容を上記券のマークシート面の余白に印刷して発行する第２の発行手段とを有し、
上記センタサーバが、
上記端末から送信された投票内容と投票番号とを累積記憶する記憶手段と、
この記憶手段に記憶されている投票内容に基づいて、当選内容を決定する決定手段と、
この決定手段により決定した当選内容を上記端末へ送信する送信手段とを有する
を具備したことを特徴とする発券照会システム。
【発明の詳細な説明】
【技術分野】
【０００１】
この発明は、くじ等のチケットを発券するくじ発券機能と、チケットの当せん照会を行う当選照会機能を備えている発券照会システムに関する。
【背景技術】
【０００２】
従来、申込み用のマークシートのマーク内容を読取り、この読取り内容を投票内容として受入れ、この投票内容を印刷した投票カードとしてのチケットを発行するものが提案されている（特許文献１）。
【０００３】
このように、マークシートやチケット等、券類の読取・印刷などの処理を行う機器において、マーク読取とチケット印刷は別々の媒体（マークシート専用用紙・チケット専用用紙）を使用していた。
【０００４】
上記の機器では、マークシートとチケットが別々の媒体であるために、使用者は別々の媒体を取り扱い、管理をする必要があった。
【０００５】
このため、従来の機器では、ロール紙などのチケット媒体を機体の中に内蔵する必要があり、そのために機器寸法が大きくなるという問題点があった。
【０００６】
さらに、従来のくじ販売では、申込用のマークシートと申込結果を印刷するチケットが別々の媒体であり購入者の勘違いや係員の操作ミスに起因して、店頭において購入者が意図したマークシートによる申込内容と発行したチケットの申込結果が異なるというトラブルが発生することがあった。
【特許文献１】特開平０７−２８２１５２号公報
【発明の開示】
【発明が解決しようとする課題】
【０００７】
この発明は、抽選の申込み用のマークシートと投票券としてのチケットとを１枚の媒体で兼用することにより、媒体の搬送経路を１つにでき、機器の小形化が図れ、さらに紙資源の無駄を無くすことができる発券照会システムを提供することを目的としている。
【課題を解決するための手段】
【０００８】
この発明の発券照会システムは、一面が投票の申込み用のマークシート面で、他面が投票内容が印刷されるチケット面である券が挿入される挿入口からの券を搬送路に沿って搬送する第１の搬送手段と、上記搬送路上に設けられ、上記挿入口から挿入されて搬送路により搬送される券の一方の面を光学的に読取る読取手段と、この読取手段による読取り後、上記券の搬送方向を逆転し、上記挿入口の方向へ上記搬送路にそって搬送する第２の搬送手段と、上記搬送路上かつ上記読取手段側の反対側に設けられ、上記挿入口の方向へ上記搬送路により搬送される券の他方の面に印刷する印刷手段と、発券業務時、上記読取手段により読取った読取内容により、券の読取面がマークシート面か否かを判断する第１の判断手段と、この第１の判断手段によりマークシート面と判断された際に、マークの内容により投票内容を受取る受取手段と、この受取手段により受取った投票内容を上記印刷手段により印刷して上記挿入口から発行される第１の処理手段と、当選照会業務時、上記読取手段により読取った読取内容により、券の読取面がチケット面か否かを判断する第２の判断手段と、この第２の判断手段によりチケット面と判断された際に、チケット面に印刷されている投票内容とあらかじめ登録されている当選情報とを照合し、この照合結果を、上記印刷手段により印刷して上記挿入口から発行する第２の処理手段とを有する。
【０００９】
この発明の発券照会システムは、一面がマークシート面、他面がチケット面である券のマークシート面のマークに基づいて投票内容を判断する判断手段と、この判断手段により判断した投票内容を上記券のチケット面に印刷して発行する第１の発行手段と、上記券のチケット面に印刷されている投票内容を読取った際に、あらかじめ登録されている当選内容とを照合する照合手段と、この照合手段による照合の結果、上記投票内容が当選している際に、この当選内容を上記券のマークシート面の余白に印刷して発行する第２の発行手段とを有する。
【００１０】
この発明の発券照会システムは、一面が固有マーク情報を有するマークシート面、他面がバーコードによる印刷が行われるチケット面である券を用いて投票の受付けと当選内容の照会が行われるものにおいて、上記券が挿入された際に、上記固有マーク情報を読み取ることにより、投票の受付けを判断する第１の判断手段と、この第１の判断手段により投票の受付けを判断した際に、上記券のマークシート面のマークに基づいて投票内容を判断する第２の判断手段と、この第２の判断手段により判断した投票内容を上記券のチケット面に印刷して発行する第１の発行手段と、上記券が挿入された際に、上記バーコードを読み取ることにより、当選内容の照会を判断する第３の判断手段と、この第３の判断手段により当選内容の照会を判断した際に、上記券のチケット面に印刷されている投票内容を読取った際に、あらかじめ登録されている当選内容とを照合する照合手段と、この照合手段による照合の結果、上記投票内容が当選している際に、この当選内容を上記券のマークシート面の余白に印刷して発行する第２の発行手段とを有する。
この発明の発券照会システムは、一面がマークシート面、他面がチケット面である券による投票の受付と投票に対する当選の照会を行う端末とこの端末と通信回線を介して接続されるセンタサーバとにより構成されるものにおいて、上記端末が、上記券のマークシート面のマークに基づいて投票内容を判断する判断手段と、この判断手段により判断した投票内容に投票番号を付加して上記券のチケット面に印刷して発行する第１の発行手段と、上記投票内容と投票番号とを上記センタサーバに送信する第１の送信手段と、あらかじめ上記センターサーバから供給される投票番号に基づく当選内容を記憶する記憶手段と、上記券のチケット面に印刷されている投票内容と投票番号を読取った際に、上記記憶手段に記憶されている当選内容とを照合する照合手段と、この照合手段による照合の結果、上記投票内容が当選している際に、この当選内容を上記券のマークシート面の余白に印刷して発行する第２の発行手段とを有し、上記センタサーバが、上記端末から送信された投票内容と投票番号とを累積記憶する記憶手段と、この記憶手段に記憶されている投票内容に基づいて、当選内容を決定する決定手段と、この決定手段により決定した当選内容を上記端末へ送信する送信手段とを有する。
【発明の効果】
【００１１】
以上詳述したように、この発明によれば、抽選の申込み用のマークシートと投票券としてのチケットとを１枚の媒体で兼用することにより、媒体の搬送経路を１つにでき、機器の小形化が図れ、さらに紙資源の無駄を無くすことができる発券照会システムとを提供できる。
【発明を実施するための最良の形態】
【００１２】
［実施例１］
以下、図面を参照してこの発明の実施形態のくじの発券照会システムを説明する。
【００１３】
このくじの発券照会システムは、購入者の投票に基づいて、くじ（券）を発行し、このくじの当選内容の発表後にくじの当選結果の照合を行うものであり、図１に示すように、当選確認機能付くじ発券機１と、この当選確認機能付くじ発券機１と通信回線２を介して接続されているセンターサーバ３により構成されている。当選確認機能付くじ発券機１とセンターサーバ３とは選択的にオンライン接続あるいはオフライン接続される。
【００１４】
購入者の投票用のマークシートと、投票券としてのチケットとを１枚の券４で兼用するものである。券４は、図２乃至図５に示すように、カット紙であり、一面がマークシート面４ａ、他面がチケット面４ｂとなっている。マークシート面４ａは、くじ購入者が任意のマーク位置を鉛筆等でマークすることで投票申し込みを行うものである。チケット面４ｂは、投票の申し込みに伴う投票券の内容が印刷されるものであり、初期状態では印刷がされておらず空白となっている。
【００１５】
マークシート面４ａは、初期時、図２に示すように、スタート列、エンド列、タイミングマーク行は印刷済みであり、運用上、投票者が筆記具でマークするのはユーザーマーク部分である。
【００１６】
スタート列は読取データの開始を示し、エンド列は読取データの終了を示す。
【００１７】
スタート列とエンド列の間に、タイミングマークに沿ってユーザーマーク部分が配置されている。
【００１８】
なお、照会業務では、図３に示すように、マークシート面４ａの余白部分に当せん照会結果の印刷が行われる。
【００１９】
チケット面４ｂは、初期時、図４に示すように、印刷がされておらず空白であり、くじ発券業務によって、図５に示すように、くじの投票内容や投票番号を示すバーコード等の印刷が行われる。
【００２０】
センターサーバ３は、投票された全てのくじの投票データが記録される投票データベース３ａ、当選した全てのくじの当選データが記録される当選データベース３ｂを管理している。
【００２１】
当選確認機能付くじ発券機１は、くじ発券業務（投票受付業務と、投票券発行業務）と、当選確認業務を有するものである。
【００２２】
当選確認機能付くじ発券機１の内部構成を、図６を用いて説明する。
【００２３】
すなわち、本体２０の右側（フロント側）には、上記券４の挿入、排出口２１が設けられている。この挿入、排出口２１から挿入された券４は搬送路２２によって搬送される。この搬送路２２上に、挿入、排出口２１から順に、挿入、排出口２１からの券４の挿入を検知する挿入口センサ２３、搬送路２２上を搬送される券４の上面（マークシート面４ａのマークあるいはチケット面４ｂの投票内容としてのバーコード）を光学的に読取る読取部２４、券４のチケット面４ｂに投票内容を印刷するとともにバーコードを印刷する印刷部２５、券４の右端を検知することにより、券４が読取部２４を通過したことが判断可能な券端検知センサ２６と、搬送路２２の搬送ローラ２２ａ、…等を回転駆動する搬送用モータ２７が設けられている。搬送用モータ２７を正回転することにより、搬送路２２上の券４が正方向（ａ方向）に搬送され、搬送用モータ２７を逆回転することにより、搬送路２２上の券４が逆方向（ｂ方向）に搬送される。読取部２４と印刷部２５とが搬送路２２を挟んで相対向する位置に設けられている。
【００２４】
バーコードにはチケットの投票番号（ユニークなＩＤ番号）がエンコードされている。これにより、読取部２４はバーコードを読取った際に、これを図示しないデコーダでデコードした後に後述する制御部３４に送信するようになっている。
【００２５】
上記当選確認機能付くじ発券機１は、図７に示すように、係員操作部３１、表示部３２、挿入口センサ２３、読取部２４、印刷部２５、券端検知センサ２６、搬送用モータ２７を駆動する駆動部３３と、これら各部を制御する制御部３４によって構成されている。
【００２６】
制御部３４には、当選情報などが記憶される記憶部３４ａが内蔵されている。
【００２７】
制御部３４は、挿入口センサ２３と券端検知センサ２６の各検知内容により券４の搬送状態を知ることができ、この状態にて搬送用モータ２７の回転制御が行われる。
次に、上記のような構成において、くじ発券業務について、図８、図９に示すフローチャートを参照しつつ説明する。
【００２８】
まず、係員は、購入客が投票申し込み（マークシート面４ａへのマーク）を行った券４を受け取る（ＳＴ４１）。
【００２９】
次に、係員は、係員操作部３１によりくじ発券業務を選択し、マークシート面４ａを上にして、図６の挿入方向から、券４を挿入、排出口２１に挿入する（ＳＴ２）。
【００３０】
これにより、挿入口センサ２３からの券４の挿入検知信号が制御部３４へ出力される（ＳＴ３）。制御部３４は、挿入口センサ２３からの券４の挿入検知信号により挿入、排出口２１への券４の挿入を判断し（ＳＴ４）、搬送用モータ２７を正回転することにより、搬送路２２上の券４が正方向（ａ方向）に搬送される（ＳＴ５）。
【００３１】
この搬送により、券４が読取部２４を通過する際に、券４の上面が読取部２４により光学的に読取られ、制御部３４へ出力される（ＳＴ６）。また、券４の端部が券端検知センサ２６に到達した際、この検知信号が制御部３４へ出力される（ＳＴ７）。
【００３２】
これにより、制御部３４は読取部２４による券４の上面の読取り終了を判断し（ＳＴ８）、搬送用モータ２７を逆回転することにより、搬送路２２上の券４が逆方向（ｂ方向）に搬送される（ＳＴ９）。
【００３３】
また、制御部３４は上記読取部２４からの券４の上面１画面分のビットマップデータによりマークシートに存在するスタート列とエンド列の有無を判断する（ＳＴ１０）。
このスタート列とエンド列の有り（正常処理）を判断した際、制御部３４はマークシート面の読取りと判断し（ＳＴ１１）、読取ったマークの内容を投票内容として受取り、この投票内容に投票番号（ユニークなＩＤ番号）を付与して、センターサーバ３に送信する（ＳＴ１２）。
センターサーバ３はその送信された投票内容と投票番号が投票データベース３ａに記録される（ＳＴ１３）。
また、制御部３４は、上記投票内容と投票番号とに対応するバーコードデータをエンコードして印刷部２５に出力する（ＳＴ１４）。これにより、券４が搬送路２２により印刷部２５に対向することにより、券４の下面（裏面、チケット面）に、上記エンコードされたバーコードが印刷される（ＳＴ１５）。
【００３４】
この印刷後、券４の端部が挿入口センサ２３に到達した際、この検知信号が制御部３４へ出力される（ＳＴ１６）。
【００３５】
これにより、制御部３４は印刷部２５による券４の下面へのバーコード印刷の終了を判断し（ＳＴ１７）、搬送用モータ２７を停止することにより、搬送路２２上の券４の搬送が停止される（ＳＴ１８）。
【００３６】
係員は、排出された券４のチケット面４ｂに正常に印刷されたことを確認して、購入者に券を渡す（ＳＴ１９）。
【００３７】
また、制御部３４は、上記ステップ１０による表面情報の読取内容にスタート列およびエンド列が存在しなかった場合、エラー処理を行う（ＳＴ２０）。
【００３８】
すなわち、制御部３４は、表示部３２により「読取エラーです。券の挿入方向や内容を確認してください」というエラーメッセージを表示し、係員に対応を喚起する。この際、券４への印刷は行わない。
【００３９】
ただし、エラーが表示された場合には、券４の挿入方向や内容を確認して、再度くじ発券業務を行うか、または購入者にマークシートの書き直しをしてもらう。
【００４０】
この例では、くじ発券業務を行う際、１回１回、当選確認機能付くじ発券機１からセンターサーバ３へ投票内容を送信する場合について説明したが、これに限らず、投票内容を記憶部３４ａに記憶しておき、例えば１日の締めとして当選確認機能付くじ発券機１とセンターサーバ３とをオンライン接続し、記憶部３４ａに累積記憶されている投票内容をセンターサーバ３へまとめて送信するものであっても良い。
【００４１】
次に、当選照会業務について、図１０、図１１に示すフローチャートを参照しつつ説明する。
【００４２】
この場合、制御部３４内の記憶部３４ａには、あらかじめセンターサーバ３の当選データベース３ｂから供給される当選情報としての当選等級と当選金額が登録されている。
【００４３】
まず、係員は、購入客が投票申し込み（チケット面４ｂへのバーコード印刷）を行った券４を受け取る（ＳＴ２１）。
【００４４】
次に、係員は、係員操作部３１によりくじの当選照会業務を選択し、チケット面４ｂを上にして（くじ発券業務とは表裏が逆となる）、図６の挿入方向から、券４を挿入、排出口２１に挿入する（ＳＴ２２）。
【００４５】
これにより、挿入口センサ２３からの券４の挿入検知信号が制御部３４へ出力される（ＳＴ２３）。制御部３４は、挿入口センサ２３からの券４の挿入検知信号により挿入、排出口２１への券４の挿入を判断し（ＳＴ２４）、搬送用モータ２７を正回転することにより、搬送路２２上の券４が正方向（ａ方向）に搬送される（ＳＴ２５）。
【００４６】
この搬送により、券４が読取部２４を通過する際に、券４の上面が読取部２４により光学的に読取られ、制御部３４へ出力される（ＳＴ２６）。また、券４の端部が券端検知センサ２６に到達した際、この検知信号が制御部３４へ出力される（ＳＴ２７）。
【００４７】
これにより、制御部３４は読取部２４による券４の上面の読取り終了を判断し（ＳＴ２８）、搬送用モータ２７を逆回転することにより、搬送路２２上の券４が逆方向（ｂ方向）に搬送される（ＳＴ２９）。
【００４８】
また、制御部３４は上記読取部２４からの券４の上面１画面分のビットマップデータによりバーコード（投票番号）の有無を判断する（ＳＴ３０）。
このバーコード（投票番号）の有り（正常処理）を判断した際、制御部３４はチケット面４ｂの読取りと判断し（ＳＴ３１）、読取ったバーコードを投票番号として受取り（ＳＴ３２）、この投票番号と記憶部に記憶されている当選情報とを照合し（ＳＴ３３）、当選照会結果（当選等級と当選金額）を、印刷部２５に出力する（ＳＴ３４）。これにより、券４が搬送路２２により印刷部２５に対向することにより、券４の下面（裏面、マークシート面）の余白に、上記当選照会結果（当選等級と当選金額）を印刷する（ＳＴ３５）。なお、はずれ券の場合ははずれと印刷する。
【００４９】
この印刷後、券４の端部が挿入口センサ２３に到達した際、この検知信号が制御部３４へ出力される（ＳＴ３６）。
【００５０】
これにより、制御部３４は印刷部２５による券４の下面への当選照会結果（当選等級と当選金額）の印刷の終了を判断し（ＳＴ３７）、搬送用モータ２７を停止することにより、搬送路２２上の券４の搬送が停止される（ＳＴ３８）。
【００５１】
係員は、排出された券４のマークシート面４ａに正常に印刷されたことを確認して、当選金の払戻しを行う。はずれの場合は券を購入者に返却する（ＳＴ３９）。
【００５２】
また、制御部３４は、上記ステップ３０による表面情報の読取内容にバーコード（投票番号）が存在しなかった場合、エラー処理を行う（ＳＴ４０）。
【００５３】
すなわち、制御部３４は、表示部３２により「読取エラーです。券の挿入方向や内容を確認してください」というエラーメッセージを表示し、係員に対応を喚起する。この際、券４への印刷は行わない。
【００５４】
ただし、エラーが表示された場合には、券４の挿入方向や内容を確認して、再度、当選照会業務を行う。
【００５５】
この例では、当選照会業務を行う際、あらかじめ当選内容が記憶部３４ａに記憶されている場合について説明したが、これに限らず、当選確認機能付くじ発券機１とセンターサーバ３とがオンライン接続され、１回１回、当選確認機能付くじ発券機１からセンターサーバ３への問合せを行い、このセンターサーバ３からの当選照会結果に基づいて処理を行うものであっても良い。
【００５６】
上記したように、マークシートの裏面をチケットとして有効活用することから、ロール紙などのチケット媒体が不要となり、媒体費用の低減が可能となる。
【００５７】
従来のくじ発券機は、ロール紙などのチケット媒体を機体の中に内蔵する必要があり、そのために機器寸法が大きくなるという問題点があった。本発明によれば、ロール紙などのチケット媒体が不要となった結果、機器の小型化を実現することができる。
【００５８】
また、ロール紙などのチケット媒体が不要となった結果、マーク読取／くじチケット発券／当せん照会の各業務は１つの媒体の取り扱いで済む。また、読取部と印刷部を同一搬送部上に配置したことで、マーク読取／くじチケット発券／当せん照会の各業務は同一の挿入口に同一の媒体を挿入／排出するという統一操作となり、操作性が向上する。
【００５９】
従来のくじ販売では、申込用マークシートと申込結果を印刷するチケットが別々の媒体であり購入者の勘違いや係員の操作ミスに起因して、店頭において購入者が意図したマークシートの申込内容とチケットの申込結果が異なるというトラブルが発生することがある。これに対して、この発明によれば、マークシート面の申込内容とチケット面の申込結果が表裏一体となっているので、内容一致の確認が容易にできるので、上記のトラブルが発生しにくくなる。
【００６０】
すなわち、マークシートのくじ投票用紙の裏面に投票内容印刷を行い、チケットとして利用する。
【００６１】
また、マークシートの固有マーク情報（スタート列／エンド列）の読取りまたはバーコードの読取りによって、表裏の投入面を判別し、正常処理／エラー処理を判別する。
【００６２】
［実施例２］
上記した実施例１の場合には、読取部２４と印刷部２５とが搬送路２２を挟んで相対向する位置に１つずつ設けられ、くじ発券業務の際に、マークシート面４ａを上面として挿入し、当選照会業務の際に、チケット面４ｂを上面として挿入するものであったが、実施例２の場合には、図１２、図１３に示すように（図６、図７と同一部位には同一符号を付し説明を省略する）、搬送路２２の上部に読取部２４ａと印刷部２５ａとを１つずつ設け、搬送路２２の下部に読取部２４ｂと印刷部２５ｂとを１つずつ設け、券４がマークシート面４ａを上面として挿入されても、チケット面４ｂを上面として挿入されても各業務が行えるようにしても良い。この場合、券の面の方向を考えずに、挿入、排出口２１から挿入することができる。
【００６３】
次に、上記のような構成において、くじ発券業務について、図１４、図１５に示すフローチャートを参照しつつ説明する。
【００６４】
まず、係員は、購入客が投票申し込み（マークシート面４ａへのマーク）を行った券４を受け取る（ＳＴ１）。
【００６５】
次に、係員は、係員操作部３１によりくじ発券業務を選択し、図４の挿入方向から、面の向きを気にせずに、券４を挿入、排出口２１に挿入する（ＳＴ２’）。
【００６６】
これにより、挿入口センサ２３からの券４の挿入検知信号が制御部３４へ出力される（ＳＴ３）。制御部３４は、挿入口センサ２３からの券４の挿入検知信号により挿入、排出口２１への券４の挿入を判断し（ＳＴ４）、搬送用モータ２７を正回転することにより、搬送路２２上の券４が正方向（ａ方向）に搬送される（ＳＴ５）。
【００６７】
この搬送により、券４が読取部２４ａ、２４ｂを通過する際に、券４の上面が読取部２４ａにより光学的に読取られ、券４の下面が読取部２４ｂにより光学的に読取られ、制御部３４へ出力される（ＳＴ６’）。また、券４の端部が券端検知センサ２６に到達した際、この検知信号が制御部３４へ出力される（ＳＴ７）。
【００６８】
これにより、制御部３４は読取部２４ａ、２４ｂによる券４の上面、下面の読取り終了を判断し（ＳＴ８’）、搬送用モータ２７を逆回転することにより、搬送路２２上の券４が逆方向（ｂ方向）に搬送される（ＳＴ９）。
【００６９】
また、制御部３４は上記読取部２４ａ、２４ｂからの券４の上面下面それぞれ１画面分のビットマップデータによりマークシートに存在するスタート列とエンド列の有無を判断する（ＳＴ１０’）。
このスタート列とエンド列の有り（正常処理）を判断した際、制御部３４はマークシート面４ａの読取りと判断し（ＳＴ１１）、読取ったマークの内容を投票内容として受取り、この投票内容に投票番号（ユニークなＩＤ番号）を付与して、センターサーバ３に送信する（ＳＴ１２）。
センターサーバ３はその送信された投票内容と投票番号が投票データベース３ａに記録する（ＳＴ１３）。
また、制御部３４は、上記投票内容と投票番号とに対応するバーコードデータをエンコードして印刷部２５ａ、２５ｂの一方に出力する（ＳＴ１４’）。読取部２４ａによりマークシート面の読取りが判断されている場合、印刷部２５ｂに出力され、読取部２４ｂによりマークシート面の読取りが判断されている場合、印刷部２５ａに出力される。これにより、券４が搬送路２２により印刷部２５ａ、２５ｂに対向することにより、券４のチケット面４ｂに、上記エンコードされたバーコードが印刷される（ＳＴ１５’）。
【００７０】
この印刷後、券４の端部が挿入口センサ２３に到達した際、この検知信号が制御部３４へ出力される（ＳＴ１６）。
【００７１】
これにより、制御部３４は印刷部２５ａあるいは２５ｂによる券４のチケット面４ｂへのバーコード印刷の終了を判断し（ＳＴ１７’）、搬送用モータ２７を停止することにより、搬送路２２上の券４の搬送が停止される（ＳＴ１８）。
【００７２】
係員は、排出された券４のチケット面４ｂに正常に印刷されたことを確認して、購入者に券を渡す（ＳＴ１９）。
【００７３】
また、制御部３４は、上記ステップ１０’によりスタート列およびエンド列が存在しないと判断した場合、エラー処理を行う（ＳＴ２０）。
【００７４】
すなわち、制御部３４は、表示部３２により「読取エラーです。券の挿入方向や内容を確認してください」というエラーメッセージを表示し、係員に対応を喚起する。この際、券４への印刷は行わない。
【００７５】
ただし、エラーが表示された場合には、券４の挿入方向や内容を確認して、再度くじ発券業務を行うか、または購入者にマークシートの書き直しをしてもらう。
【００７６】
この例では、くじ発券業務を行う際、１回１回、当選確認機能付くじ発券機１からセンターサーバ３へ投票内容を送信する場合について説明したが、これに限らず、投票内容を記憶部３４ａに記憶しておき、例えば１日の締めとして当選確認機能付くじ発券機１とセンターサーバ３とをオンライン接続し、記憶部３４ａに累積記憶されている投票内容をセンターサーバ３へまとめて送信するものであっても良い。
【００７７】
次に、当選照会業務について、図１６、図１７に示すフローチャートを参照しつつ説明する。
【００７８】
この場合、制御部３４内の記憶部３４ａには、あらかじめセンターサーバ３の当選データベース３ｂから供給される当選情報としての当選等級と当選金額が登録されている。
【００７９】
まず、係員は、購入客が投票申し込み（チケット面４ｂへのバーコード印刷）を行った券４を受け取る（ＳＴ２１）。
【００８０】
次に、係員は、係員操作部３１によりくじの当選照会業務を選択し、図４の挿入方向から、券４を面の向きを気にせずに、挿入、排出口２１に挿入する（ＳＴ２２’）。
【００８１】
これにより、挿入口センサ２３からの券４の挿入検知信号が制御部３４へ出力される（ＳＴ２３）。制御部３４は、挿入口センサ２３からの券４の挿入検知信号により挿入、排出口２１への券４の挿入を判断し（ＳＴ２４）、搬送用モータ２７を正回転することにより、搬送路２２上の券４が正方向（ａ方向）に搬送される（ＳＴ２５）。
【００８２】
この搬送により、券４が読取部２４ａ、２４ｂを通過する際に、券４の上面が読取部２４ａにより光学的に読取られ、券４の下面が読取部２４ｂにより光学的に読取られ制御部３４へ出力される（ＳＴ２６’）。また、券４の端部が券端検知センサ２６に到達した際、この検知信号が制御部３４へ出力される（ＳＴ２７）。
【００８３】
これにより、制御部３４は読取部２４ａ、２４ｂによる券４の上面下面の読取り終了を判断し（ＳＴ２８’）、搬送用モータ２７を逆回転することにより、搬送路２２上の券４が逆方向（ｂ方向）に搬送される（ＳＴ２９）。
【００８４】
また、制御部３４は上記読取部２４ａ、２４ｂからの券４の上面下面のそれぞれ１画面分のビットマップデータによりバーコード（投票番号）の有無を判断する（ＳＴ３０’）。
このバーコード（投票番号）の有り（正常処理）を判断した際、制御部３４はチケット面４ｂの読取りと判断し（ＳＴ３１）、読取ったバーコードを投票番号として受取り（ＳＴ３２）、この投票番号と記憶部３４ａに記憶されている当選情報とを照合し（ＳＴ３３）、当選照会結果（当選等級と当選金額）を、印刷部２５ａ、２５ｂの一方に出力する（ＳＴ３４’）。読取部２４ａによりバーコード（投票番号）の有りが判断されている場合、印刷部２５ｂに出力され、読取部２４ｂによりバーコード（投票番号）の有りが判断されている場合、印刷部２５ａに出力される。これにより、券４が搬送路２２により印刷部２５ａ、２５ｂに対向することにより、券４のマークシート面４ａの余白に、上記当選照会結果（当選等級と当選金額）を印刷する（ＳＴ３５’）。なお、はずれ券の場合ははずれと印刷する。
【００８５】
この印刷後、券４の端部が挿入口センサ２３に到達した際、この検知信号が制御部３４へ出力される（ＳＴ３６）。
【００８６】
これにより、制御部３４は印刷部２５ａ、２５ｂによる券４のマークシート面４ａへの当選照会結果（当選等級と当選金額）の印刷の終了を判断し（ＳＴ３７’）、搬送用モータ２７を停止することにより、搬送路２２上の券４の搬送が停止される（ＳＴ３８）。
【００８７】
係員は、排出された券４のマークシート面４ａに正常に印刷されたことを確認して、当選金の払戻しを行う。はずれの場合は券を購入者に返却する（ＳＴ３９）。
【００８８】
また、制御部３４は、上記ステップ３０による表面情報の読取内容にバーコード（投票番号）が存在しなかった場合、エラー処理を行う（ＳＴ４０）。
【００８９】
すなわち、制御部３４は、表示部３２により「読取エラーです。券の挿入方向や内容を確認してください」というエラーメッセージを表示し、係員に対応を喚起する。この際、券４への印刷は行わない。
【００９０】
ただし、エラーが表示された場合には、券４の挿入方向や内容を確認して、再度、当選照会業務を行う。
【００９１】
この例では、当選照会業務を行う際、あらかじめ当選内容が記憶部３４ａに記憶されている場合について説明したが、これに限らず、当選確認機能付くじ発券機１とセンターサーバ３とがオンライン接続され、１回１回、当選確認機能付くじ発券機１からセンターサーバ３への問合せを行い、このセンターサーバ３からの当選照会結果に基づいて処理を行うものであっても良い。
【図面の簡単な説明】
【００９２】
【図１】この発明の実施形態を説明するためのくじの発券照会システムの概略構成を示す図。
【図２】券のマークシート面を説明するための図。
【図３】券のマークシート面を説明するための図。
【図４】券のチケット面を説明するための図。
【図５】券のチケット面を説明するための図。
【図６】当選確認機能付くじ発券機の内部構成を説明するための図。
【図７】当選確認機能付くじ発券機の内部構成を説明するための図。
【図８】くじ発券業務を説明するためのフローチャート。
【図９】くじ発券業務を説明するためのフローチャート。
【図１０】当選照会業務を説明するためのフローチャート。
【図１１】当選照会業務を説明するためのフローチャート。
【図１２】当選確認機能付くじ発券機の内部構成を説明するための図。
【図１３】当選確認機能付くじ発券機の内部構成を説明するための図。
【図１４】くじ発券業務を説明するためのフローチャート。
【図１５】くじ発券業務を説明するためのフローチャート。
【図１６】当選照会業務を説明するためのフローチャート。
【図１７】当選照会業務を説明するためのフローチャート。
【符号の説明】
【００９３】
１…当選確認機能付くじ発券機、３…センターサーバ、３ａ…、３ｂ…、４…券、４ａ…、４ｂ…、２１…挿入、排出口、２２…搬送路、２３…挿入口センサ、２４…読取部、２５…印刷部、２６…券端検知センサ、３１…係員操作部、３２…表示部、３３…駆動部、３４…制御部、３４ａ…記憶部。
【図１】
2005190219.tif 000003
【図２】
2005190219.tif 000004
【図３】
2005190219.tif 000005
【図４】
2005190219.tif 000006
【図５】
2005190219.tif 000007
【図６】
2005190219.tif 000008
【図７】
2005190219.tif 000009
【図８】
2005190219.tif 000010
【図９】
2005190219.tif 000011
【図１０】
2005190219.tif 000012
【図１１】
2005190219.tif 000013
【図１２】
2005190219.tif 000014
【図１３】
2005190219.tif 000015
【図１４】
2005190219.tif 000016
【図１５】
2005190219.tif 000017
【図１６】
2005190219.tif 000018
【図１７】
2005190219.tif 000019